【事件の表示】
　平成　６年特許願第２５９０７８号「自動車査定システム」拒絶査定に対する審判事件［平成　８年　４月１２日出願公開、特開平　８−　９６０２９］について、次のとおり審決する。
【結　論】
　本件審判の請求は、成り立たない。
【理　由】
１．手続の経緯・本願の発明
　本願は、平成６年９月２９日に出願したものであって、その特許請求の範囲の請求項１に係る発明は、平成１０年６月２９日付けの手続補正によって補正された明細書と図面の記載からみて、その特許請求の範囲の請求項１に記載されたとおりのもの（以下、「本願発明」という。）と認める。
「液晶表示装置の上にタブレットが重ねて配設され、表示画面上におけるタブレットペンによる位置指定で入力操作が行える入出力装置と、データ処理装置とを備え、タブレットペンによる入力操作により、自動車の査定の点数計算を行う自動車査定システムであって、
　査定を行う自動車の各部位を全体の展開図により表示するデータを格納する画像メモリと、
　自動車の各部位における査定項目の傷または修理痕の状態に対応して査定基準点を格納する査定基準点データベースと、
　タブレットペンの入力操作を受け付け、表示画面上の自動車の展開図の各部位の位置を判定し、判定した位置の部位に応じて、自動車の査定項目を表示し、選択された査定項目の入力を受け付け、受け付けた査定項目の査定基準点データベースの傷または修理痕の状態の査定基準点により自動車評価の点数計算を行い、査定済みの部位にマーク表示する自動車査定処理部と、
　自動車の評価点数の査定情報を格納する査定データメモリと
を備えることを特徴とする自動車査定システム。」
　
２．引用例に記載の発明
　これに対して、原査定の拒絶の理由において引用された、本願の出願前に国内において頒布された刊行物である特開平６−１３９２５２号公報（以下、「引用例」という。）には、以下のア〜クの記載事項とともに図１〜１１が記載されている。
ア  「本発明は例えば自動車，ＴＶ，冷暖房装置等の大型耐久消費材の破損や消耗部品の交換等の維持管理を行う場合に有用な見積書作成方法及び携帯型見積書作成装置に関する。一般に、交通事故等にて損傷を受けた自動車を修理する場合は、修理代金が高額になる場合が多く、また自動車保険等で支払う場合を考慮して、実際の修理作業を開始する前に、修理に要する費用を見積るようにしている。」（【０００１】及び【０００２】）
イ　「本発明はこのような事情に鑑みてなされたものであり、見積対象の装置の各方向からの外観図、各部位における詳細部品の部品展開図を表示部に順次展開して表示し、入力ペンでその画像（部品）を指定するのみで、該当部品に対する部品データの見積書に対する登録が完了し、部品コードを含め全てのキー入力操作を無くすることかでき、簡単な操作で、かつ、たとえこの装置に不慣れな操作員であっても、確実にかつ能率的に見積書を作成でき、さらに小型軽量に形成できる見積書作成方法及び携帯型見積書作成装置を提供することを目的とする。」（【０００９】）
ウ　「このように構成された見積書作成方法及び携帯型見積書作成装置において、操作員は、入力手段としての入力ペンを用いて表示部に表示すべき見積対象の装置の外観図の方向を指定すると、図面記憶部から該当装置における指定された方向からみた外観図が表示される。そして、この外観図が表示された状態で、例えば損傷を受けた部位等を入力ペンで指定（接触）すると、指定された部位を構成する複数の部品からなる部品展開図および該当する各部品の部品名称や価格等が記憶された部品リストが表示部に同時に表示される。そして、部品展開図と部品リストが表示された状態で、再び入力ペンで見積したい部品を指定すると、指定された部品の部品名称，価格が見積書メモリへ自動的に登録される。したがって、必要なときにこの部品が登録された見積書メモリの記憶内容を出力すればよい。」（【００１３】及び【００１４】）
エ　「薄いＢ５サイズのケース１の上面に例えば液晶表示板からなる表示部２が取付けられている。そして、この表示部２の前面に磁気を検知する透明パネルが装着されており、この透明パネルを入力ペン３で接触する事によって、接触した位置（座標）情報を入力することができる。」（【００１８】）
オ　「前記ＨＤＤ９内には、図４に示すように、この携帯型見積作成装置で取扱可能な各自動車会社毎の車種を記憶する社名・車種記憶部１６、自動車の各種図面を記憶する図面記憶部１７、および各自動車を構成する各部品を記憶する部品記憶部１８が形成されている。図形記憶部１７内には、図４（ａ）に示すように、各車種毎に「上面」「前面」「後面」「右側面」「左側面」から見た複数枚の外観図１９、各車種毎においてバンパー部，ドア部，サスペンション部等の各部位を構成する複数の部品の配置・取付状態を、例えばツリー構造に表現して示す複数枚の部品展開図２０が記憶されている」（【００２１】及び【００２２】）
カ　「部品記憶部１８内には、図４（ｂ）に示すように、前述した各車種の各部品展開図２０毎に、該当展開図で描かれた各部品毎に、部品名称，部品コード，交換や脱着や補修等の作業コード，および価格を記憶する複数枚の部品リスト２１が記憶されている。また、データメモリ８内には、図５に示す各客毎（車毎）の交換．脱着，補修を行う必要のある部品の部品名称，商品コード，作業費用，価格等を登録するための見積書メモリ２２が形成されている。」（【００２３】及び【００２４】）
キ　「図６のＰ５にて、入力ペン３で図１０（ａ）に示すように、表示画面２ａに表示された外観図１９，内部図面２８，断面図における損傷部位を指定（接触）すると、Ｐ９へ進み、指定された部位を認識して、該当部位の部品展開図２０を図面記憶部１７から詠出す。なお、Ｐ６にて、図１０（ｂ）に示すように、表示されている図面における損傷部位の領域２５を入力ペン３で指定した場合、この領域２５にて指定された部位を特定して、Ｐ９へ進み、特定された部位の部品展開図２０を図面記憶部１７から読出す。（中略）Ｐ９にて、指定された部位の部品展開図２０が読出されると、次に、同一部位の部品リスト２１を部品記憶部１８から読出す（Ｐ１０）。そして、図１１（ａ）に示すように、読出した部品展開図２０及び部品リスト２１を表示画面２ａに同時に表示する（Ｐ１１）。（中略）Ｐ１４において、指定された部品を表示されている部品リスト２１中から抽出して、該当部品の部品名称，部品コード，指定された処理内容に対する作業コード（作業費）、価格等の部品情報を図５に示すデータメモリ８の見積書メモリ２２に登録する。そして、表示されている部品リスト２１の該当部品の全部の部品情報を反転表示して、すでに見積書メモリ２２に登録済みであることを操作者に告知する。（中略）なお、部品情報の反転表示のみならず、入力ペン３で指定した部品を例えば点滅表示して、該当部品が登録済みであること告知してもよい。」（【００３７】〜【００４３】）
ク　「見積すべき全ての部品の登録操作が終了すると、「合計」の選択項目２７を入力ペン３で指定（接触）すると、見積合計が算出されて、見積書メモリ２２に登録されると共に、表示画面２ａにウインド表示される。」（【００５１】）
　上記ア〜エ及び図３の記載からみて、
　引用例には、液晶表示板の上に磁気を検知する透明パネルが重ねて配設され、表示画面上における入力ペンによる位置指定で入力操作が行える入出力装置と、ＣＰＵとを備え、入力ペンによる入力操作により、自動車部品損傷等の費用見積の計算を行う携帯型見積書作成装置が記載されている。
　そして、上記オ、カ及び図４、８及び１０の記載からみて、
　引用例には、価格の見積の計算を行なう自動車の各種図面の外観図と部品展開図を記憶する図面記憶部１７が記載されている。
　また、上記カの記載からみて、
　引用例には、自動車の各部品毎に、査定する部品名称の価格の部品リストが記憶される部品記憶部１８が記載されている。
　更に、上記カ〜クの記載からみて、
　引用例には、入力ペンの入力操作を受け付け、表示画面上の自動車の展開図の各部位の位置を特定し、特定した位置の部位に応じて、自動車の部品リストを表示し、選択された部品リストの項目の入力を受け付け、受け付けた該部品リストの項目の費用の計算を行い、登録済みの部品を点滅表示する処理部と、自動車の費用見積合計を登録する見積書メモリとを備えることが記載されている。
　したがって、引用例には、
「液晶表示板の上に磁気を検知する透明パネルが重ねて配設され、表示画面上における入力ペンによる位置指定で入力操作が行える入出力装置と、ＣＰＵとを備え、入力ペンによる入力操作により、自動車部品損傷等の費用見積の計算を行う携帯型見積書作成装置であって、価格の見積の計算を行なう自動車の各種図面の外観図と部品展開図を記憶する図面記憶部１７と、自動車の各部品毎に、査定する部品名称の価格の部品リストが記憶される部品記憶部１８と、入力ペンの入力操作を受け付け、表示画面上の自動車の展開図の各部位の位置を特定し、特定した位置の部位に応じて、自動車の部品リストを表示し、選択された部品リストの項目の入力を受け付け、受け付けた該部品リストの項目の費用の計算を行い、登録済みの部品を点滅表示する処理部と、自動車の費用見積合計を登録する見積書メモリとを備える携帯型見積書作成装置」が記載されているものと認められる。
　
３．本願発明と引用例に記載された発明との対比
　引用例に記載された発明（以下、「後者」という。）の「ＣＰＵ」、「磁気を検知する透明パネル」、「入力ペン」、「携帯型見積書作成装置」、「図面記憶部１７」、「特定」、「部品リスト」、「処理部」及び「見積書メモリ」は、それぞれの機能に照らしてみて、本願発明（以下、「前者」という。）の「データ処理装置」、「タブレット」、「タブレットペン」、「自動車査定システム」、「画像メモリ」、「判定」、「査定項目」、「自動車査定処理部」及び「査定データメモリ」に相当し、そして、後者は計算する対象が作業費、価格等の修理費であるのに対して、前者はその対象が査定基準点の点数であるが、両者ともに値を計算しており、また、後者は登録済みの部品を点滅して表示するのに対して、前者はマークで表示しているが、点滅及びマークも注意を喚起する印といえるから、
　両者は、「液晶表示装置の上にタブレットが重ねて配設され、表示画面上におけるタブレットペンによる位置指定で入力操作が行える入出力装置と、データ処理装置とを備え、タブレットペンによる入力操作により、自動車の査定の値の計算を行う自動車査定システムであって、査定を行う自動車の各部位を展開図により表示するデータを格納する画像メモリと、タブレットペンの入力操作を受け付け、表示画面上の自動車の展開図の各部位の位置を判定し、判定した位置の部位に応じて、自動車の査定項目を表示し、選択された査定項目の入力を受け付け、受け付けた査定項目の値により自動車評価の計算を行い、査定済みの部位に印を表示する自動車査定処理部と、自動車の値の査定情報を格納する査定データメモリと
を備えることを特徴とする自動車査定システム。」の点で一致し、
（１）前者が下取り自動車を査定するために、点数で計算しているのに対して、後者は、交通事故等の修理費用を計算している点、
（２）表示するデータに関して、前者が全体の展開図であるのに対して、
　後者は、自動車の各種図面の外観図と部品展開図であるる点、
（３）前者が自動車の各部位における査定項目の傷または修理痕の状態に対応して査定基準点を格納する査定基準点データベースを備えるのに対して、
　後者は、自動車の各部品毎に、査定する部品名称の価格の部品リストが記憶される部品記憶部１８を備えている点、
（４）前者が査定済みの部位にマーク表示するのに対して、
　後者は、その部位に点滅表示する点、
　で両者は相違しているものと認める。
　
４．当審の容易性の判断
　上記相違点（１）について、
　後者は、交通事故等の自動車を査定の対象としているが、上記カに記載の部品リスト２１には「補修の作業コード等、および価格を記憶」することが記載されていることから、後者の査定の対象として下取り自動車も可能なことは、当業者が容易に推考できたことであり、そして、その査定の値を修理費用で計算するか、点数で計算するかは、単なる設計的事項であると認める。
　上記相違点（２）について、
　自動車の各部位を全体の展開図を表示するか、自動車の各種図面の外観図と部品展開図を表示するかは、査定する自動車の部位、項目数等に応じて当業者が適宜選定できる設計的事項である。
  上記相違点（３）について、
　後者の自動車の各部品毎に、査定する部品名称の価格の部品リストは、査定項目の部品に対応した査定基準点に相当するものであり、そして、相違点（１）の判断で示したように、後者から査定の対象として下取り自動車も可能なことが容易に推考できるのでるから、相違点（３）の前者の構成は、当業者が容易に推考できたものと認める。
  上記相違点（４）について、
  注意を喚起するために、マーク、点滅、色等で表示することは、本願出願前に慣用手段であるから、後者の点滅表示をマーク表示に代えることは、当業者が容易に推考できたことと認める。
　そして、本願発明の効果は、引用例に記載の発明の効果から予測できる範囲内のものと認める。
　
５．むすび
　したがって、本願発明は、引用例に記載された発明に基づいて、当業者が容易に発明をすることができたものであるから、特許法第２９条第２項の規定により特許を受けることができない。
　よって、結論のとおり審決する。